(57)【要約】【課題】中央部に大きな開口部を有する低剛性の外装カバーであっても、外観を損なうことなく、耐衝撃性を高めて、落下等による衝撃を受けた際の変形を抑制することができるデジタルカメラを提供する。【解決手段】デジタルカメラは、中央部に表示装置６が配置される開口部１０ａを有するとともに、該開口部１０ａの外側に開口部１０ａが形成された面に対して直交する方向に延びる壁部１０ｂを有するリアカバー１０と、カメラ本体の内部に固定配置される金属シャーシ７とを備える。壁部１０ｂの裏面側には、開口部１０ａが形成された面に対して直交する方向に貫通する穴部１１ｄを有する受け部１１ａが設けられ、金属シャーシ７には、穴部１１ｄに挿入されて壁部１０ｂの板厚方向外方への変形を規制する突起部７ａが設けられる。【選択図】図５
2011145467.tif 000002
【特許請求の範囲】
【請求項１】
中央部に開口部を有するとともに、該開口部の外側に前記開口部が形成された面に対して直交する方向に延びる壁部を有する外装カバー部材と、機器本体の内部に固定配置されるシャーシ部材とを備え、前記壁部の裏面側に前記開口部が形成された面に対して直交する方向に貫通する穴部を有する受け部を形成するとともに、前記シャーシ部材に前記穴部に挿入される突起部を形成し、前記突起部を前記穴部に挿入することで前記壁部の板厚方向への変形を規制することを特徴とする電子機器。
【請求項２】
前記受け部及び前記突起部は、前記開口部の長手方向の中央部に配置されることを特徴とする請求項１に記載の電子機器。
【請求項３】
前記開口部には、表示装置が配置されることを特徴とする請求項１または２に記載の電子機器。
【発明の詳細な説明】
【技術分野】
【０００１】
本発明は、例えば液晶表示装置等を配置するための開口部を有する外装カバー部材を備えるデジタルカメラ等の電子機器に関する。
【背景技術】
【０００２】
近年のデジタルカメラ等では、小型化に加えて、背面に配置される液晶等の表示装置の画面サイズの大型化が求められている。従って、デジタルカメラ等の背面側に配置される外装カバーは、表示装置の画面サイズに応じた比較的大きな開口部を有する枠形状となるため、枠部分の幅が狭くなり、剛性が劣ることになる。
【０００３】
また、デジタルカメラ等の薄型化の要望から、表示装置を保護するために外装カバーに貼り付けられる透明な窓部材を省略したものも増えてきており、外装カバーの剛性がさらに低下する傾向にある。
【０００４】
このため、外装カバーの上面側から挿入したビスを内部部品に直接締結することにより、外装カバーの剛性を高めて落下等の際の衝撃による外装カバーの変形を防止する技術が提案されている。しかし、外装カバーの上面部には、操作部材が配置されるため、ビスの頭部が露出する事は、外観上好ましくない。
【０００５】
一方、背面側の外装カバーと正面側の外装カバーとをカメラの厚さ方向に直接突き当てた状態で該突き当て部分の内側面どうしを固着部により締結する技術が提案されている（特許文献１）。
【０００６】
この提案では、ビス等を用いないため、外装カバーの上面部の外観を損なうことなく、落下等により衝撃力が加わった際の背面側の外装カバーと正面側の外装カバーとの変形を抑えることができるとしている。
【先行技術文献】
【特許文献】
【０００７】
【特許文献１】特開２００７−３３５１０号公報
【発明の概要】
【発明が解決しようとする課題】
【０００８】
しかし、上記特許文献１では、外装カバー同士の突き当て部での締結力を高めたとしても、中央部に大きな開口部を有する背面側の外装カバーの場合は、剛性が劣るため、落下等による衝撃を受けた際に該衝撃力を受け止めきれず、変形してしまうおそれがある。
【０００９】
そこで、本発明は、中央部に大きな開口部を有する外装カバーであっても、外観を損なうことなく、耐衝撃性を高めて、落下等による衝撃を受けた際の変形を抑制することができる電子機器を提供することを目的とする。
【課題を解決するための手段】
【００１０】
上記目的を達成するために、本発明の電子機器は、中央部に開口部を有するとともに、該開口部の外側に前記開口部が形成された面に対して直交する方向に延びる壁部を有する外装カバー部材と、機器本体の内部に固定配置されるシャーシ部材とを備え、前記壁部の裏面側に前記開口部が形成された面に対して直交する方向に貫通する穴部を有する受け部を形成するとともに、前記シャーシ部材に前記穴部に挿入される突起部を形成し、前記突起部を前記穴部に挿入することで前記壁部の板厚方向への変形を規制することを特徴とする。
【発明の効果】
【００１１】
本発明によれば、中央部に大きな開口部を有する外装カバーであっても、外観を損なうことなく、耐衝撃性を高めて、落下等による衝撃を受けた際の変形を抑制することができる。
【図面の簡単な説明】
【００１２】
【図１】本発明の電子機器の実施形態の一例であるデジタルカメラを正面側から見た斜視図である。
【図２】図１に示すデジタルカメラを背面側から見た斜視図である。
【図３】リアカバーの斜視図である。
【図４】リアカバーを取り外した状態のデジタルカメラの上面部を部分的に示す斜視図である。
【図５】図１のＡ−Ａ線の要部断面図である。
【図６】図５のＢ−Ｂ線断面図である。
【発明を実施するための形態】
【００１３】
以下、本発明の実施形態の一例を図面を参照して説明する。
【００１４】
図１は本発明の電子機器の実施形態の一例であるデジタルカメラを正面側から見た斜視図、図２は図１に示すデジタルカメラを背面側から見た斜視図である。
【００１５】
図１及び図２に示すように、本実施形態のデジタルカメラ１は、正面側にストロボ２及びレンズユニット３等が配置され、上面側にズームレバー４及びレリーズボタン５等が配置され、背面側に液晶等の表示装置６が配置されている。
【００１６】
デジタルカメラ１の正面側及び背面側は、それぞれ左右方向に長い金属製のフロントカバー１２及びリアカバー１０が配置され、図１の左側部のフロントカバー１２とリアカバー１０との間には、樹脂製のサイドカバー１３が配置されている。ここで、リアカバー１０は、本発明の外装カバー部材の一例に相当する。
【００１７】
そして、ズームレバー４を操作して適切な撮影画角を決めた後、レリーズボタン５を操作して撮影動作を開始すると、被写体像はレンズユニット３を通じて不図示の撮像素子に結像して電気信号に光電変換される。撮像素子から出力された電気信号は、不図示の画像処理部によって画像データとして処理された後に、不図示の記録媒体に書き込まれる。
【００１８】
図３は、リアカバー１０の斜視図である。図３に示すように、リアカバー１０は、開口部１０ａを中央部に有する枠部材とされており、金属のプレス加工等により形成される。リアカバー１０の開口部１０ａは、大型の表示装置６の画面サイズに応じて比較的大きく形成され、開口部１０ａの外側の枠部分の外周縁部には、該開口部１０ａが形成された面に対して直交する方向（カメラの厚さ方向）に延びる壁部１０ｂが設けられている。
【００１９】
壁部１０ｂのうち、リアカバー１０の上面部に相当する部分の開口部１０ａの長手方向の中央部の裏側面には、内側部材１１が加締め等により取り付けられている。
【００２０】
内側部材１１は、金属のプレス加工等により形成されており、穴部１１ｄを有する受け部１１ａが長手方向に互いに離間して複数箇所（図では２箇所）配置されている。穴部１１ｄは、本実施形態では、例えば、リアカバー１０の開口部１０ａが配置される面に対して直交する方向に貫通して形成されている。また、内側部材１１の２箇所の受け部１１ａの間には、フッキング部１１ｂ及び穴部１１ｃが設けられている。
【００２１】
ここで、リアカバー１０及び内側部材１１を共に金属製として、ＧＮＤに電気的に接続される金属製のシャーシ７（図４参照）にリアカバー１０をビス等を介して締結することで、リアカバー１０と内側部材１１をＧＮＤと同電位に保つ事が可能となる。なお、リアカバー１０と内側部材１１とは、加締め以外に両面テープや接着剤によって固定してもよい。
【００２２】
図４は、リアカバー１０を取り外した状態のデジタルカメラ１の上面部を部分的に示す斜視図である。
【００２３】
図４において、シャーシ７には、正面側にレンズユニット３に取り付けられ、背面側に表示装置６が取り付けられる。シャーシ７は、本発明の機器本体の内部に固定配置されるシャーシ部材の一例に相当する。
【００２４】
シャーシ７の背面側の上辺部の長手方向の略中央部には、リアカバー１０に設けられた受け部１１ａの穴部１１ｄに挿入される突起部７ａが穴部１１ｄの数に対応して長手方向に互いに離間して２箇所設けられている。また、シャーシ７の２箇所の突起部７ａの間には、リアカバー１０側のフッキング部１１ｂ及び穴部１１ｃがそれぞれ嵌め込まれる凹部７ｂ及び突起部７ｃが設けられている。
【００２５】
リアカバー１０をシャーシ７に組み付けるには、リアカバー１０側に設けられた受け部１１ａの穴部１１ｄをシャーシ７の突起部７ａに挿入しつつ、リアカバー１０側のフッキング部１１ｂ及び穴部１１ｃをそれぞれシャーシ７の凹部７ｂ及び突起部７ｃに嵌め込む。このとき、リアカバー１０側の受け部１１ａの穴部１１ｄとシャーシ７の突起部７ａがガイドとして機能する。
【００２６】
リアカバー１０側のフッキング部１１ｂ及び穴部１１ｃがそれぞれシャーシ７の凹部７ｂ及び突起部７ｃに嵌め込まれた状態では、リアカバー１０は、デジタルカメラ１の厚さ方向、左右方向（長手方向）両側及び下面部側への移動が規制されて位置決めされる。
【００２７】
そして、この状態でリアカバー１０の左右側面部及び下面部から挿入したビス等をシャーシ７に締結することにより、リアカバー１０がシャーシ７に組み付けられる。
【００２８】
図５及び図６は、リアカバー１０がシャーシ７に組み付けられた状態を示す図であり、図５は図１のＡ−Ａ線の要部断面図、図６は図５のＢ−Ｂ線断面図である。
【００２９】
図５及び図６に示すように、リアカバー１０がシャーシ７に組み付けられた状態では、リアカバー１０側に設けられた受け部１１ａの穴部１１ｄにシャーシ７の突起部７ａが挿入される。
【００３０】
かかる挿入状態においては、リアカバー１０の受け部１１ａは、図６に示すように、シャーシ７の突起部７ａの下面に近接又は接触して配置される。
【００３１】
これにより、落下等の衝撃によりリアカバー１０の上面部の壁部１０ｂが板厚方向の外方向（図６の矢印Ｃ方向）に変形しようとした際に、受け部１１ａが突起部７ａに当接してリアカバー１０の上面部の同方向への変形が規制される。
【００３２】
一方、図６に示すように、リアカバー１０の受け部１１ａと突起部７ａの左右両側面との間及びリアカバー１０の受け部１１ａと突起部７ａの上面との間には、リアカバー１０のシャーシ７への組込み容易性を確保するため、比較的大きな空間が形成されている。
【００３３】
以上説明したように、本実施形態では、落下等の衝撃によりリアカバー１０の上面部が板厚方向の外方向に変形しようとした際に、リアカバー１０の受け部１１ａがシャーシ７の突起部７ａに当接してリアカバー１０の上面部の同方向への変形が規制される。また、シャーシ７の突起部７ａに当接する受け部１１ａは、ズームレバー４及びレリーズボタン５等の操作部が配置されるリアカバー１０の上面部の壁部１０ｂの裏面側に設けられている。これにより、中央部に大きな開口部１０ａを有する低剛性のリアカバー１０であっても、特に操作部が配置される上面部の外観をビス等により損ねることなく、耐衝撃性が向上して、落下等による衝撃を受けた際の変形を抑制することができる。
【００３４】
また、シャーシ７の突起部７ａに当接する受け部１１ａは、リアカバー１０の開口部１０ａの長手方向の中央部に配置されるため、リアカバー１０の上面部のうち、落下等の衝撃により最も変形する可能性が高い部分の変形を効果的に抑制することができる。
【００３５】
なお、本発明の構成は、上記実施形態に例示したものに限定されるものではなく、材質、形状、寸法、形態、数、配置箇所等は、本発明の要旨を逸脱しない範囲において適宜変更可能である。
【００３６】
例えば、上記実施形態では、電子機器としてデジタルカメラを例示したが、デジタルカメラ以外の撮像装置やその他の電子機器であっても上記同様の効果を得ることができる。
【００３７】
また、上記実施形態では、シャーシ７側に突起部７ａを配置し、リアカバー１０側に受け部１１ａを配置した場合を例示したが、シャーシ７側に受け部１１ａを配置し、リアカバー１０側に突起部７ａを配置してもよい。
【００３８】
更に、上記実施形態では、受け部１１ａ及び突起部７ａを、リアカバー１０の上面部の板厚方向外方への変形を規制するように配置したが、これに代えて、又はこれに加えて、リアカバー１０の上面部の板厚方向内方への変形を規制するように配置してもよい。
【００３９】
更に、上記実施形態では、リアカバー１０の上面部の板厚方向外方への変形を規制する手段として受け部１１ａ及び該受け部１１ａの穴部１１ｄに挿入される突起部７ａを例示したが、これに限定されず、その他の係合構造や掛止構造を採用してもよい。
【符号の説明】
【００４０】
１      デジタルカメラ
７      シャーシ
７ａ    突起部
７ｂ    凹部
１０    リアカバー
１０ａ  開口部
１１    内側部材
１１ａ  受け部
１１ｂ  フッキング部
１１ｄ  穴部
【図１】
2011145467.tif 000003
【図２】
2011145467.tif 000004
【図３】
2011145467.tif 000005
【図４】
2011145467.tif 000006
【図５】
2011145467.tif 000007
【図６】
2011145467.tif 000008